(57)【要約】【課題】コスト増加や装置の大型化を防止しつつ、表面パネルのデザイン自由度を向上できる硬貨処理装置を提供する。【解決手段】硬貨の入金処理を行う硬貨処理装置１において、リジェクトされた硬貨を収納するリジェクト箱３０と、入金返却された硬貨を収納する入金返却箱４１と、機体２から引き出し可能とされ、リジェクト箱３０および入金返却箱４１を引き出し方向に並べて支持するトレイ部５０と、を備える。【選択図】図１３
2015022424.tif 000002
【特許請求の範囲】
【請求項１】
硬貨の入金処理を行う硬貨処理装置において、
リジェクトされた硬貨を収納するリジェクト箱と、
入金返却された硬貨を収納する入金返却箱と、
機体から引き出し可能とされ、前記リジェクト箱および前記入金返却箱を引き出し方向に並べて支持するトレイ部と、を備えることを特徴とする硬貨処理装置。
【請求項２】
前記トレイ部を全閉状態で保持可能であるとともに、前記リジェクト箱と前記入金返却箱とのうち引き出し方向手前側に配される一方の箱のみを引き出し可能とするべく前記トレイ部の引き出し方向への移動を規制するロック機構部を備える請求項１に記載の硬貨処理装置。
【請求項３】
前記リジェクト箱は、前記入金返却箱よりも引き出し方向手前側に配され、
前記ロック機構部は、
前記リジェクトされた硬貨を回収する際に、前記リジェクト箱のみを引き出し可能な状態とする一方で、前記入金返却された硬貨を回収する際には、前記トレイ部を全て引き出し可能とするべく規制を解除する請求項２に記載の硬貨処理装置。
【請求項４】
前記入金返却箱は、前記トレイ部に対して着脱可能とされ、前記入金返却箱として、内部に仕切り部によって仕切られた金種別の複数の収納部を有する第一入金返却箱と、内部に仕切り部を有さない第二入金返却箱と、を備える請求項１から３の何れか一項に記載の硬貨処理装置。
【請求項５】
前記トレイ部は、メンテナンス用小物を収納する小物収納部を備える請求項１から４の何れか一項に記載の硬貨処理装置。
【請求項６】
前記リジェクト箱は、
前記トレイ部から前方に引き出し可能に支持され、前記ロック機構部は、前記リジェクト箱の前記トレイ部からの引き出しを規制可能な第一ロック部を備える請求項２又は３に記載の硬貨処理装置。
【請求項７】
前記ロック機構部は、前記機体に対する前記トレイ部の引き出しを規制可能な第二ロック部を備える請求項６に記載の硬貨処理装置。
【請求項８】
前記リジェクト箱および前記入金返却箱の位置を示す誘導ランプを備える請求項１から７の何れか一項に記載の硬貨処理装置。
【請求項９】
前記誘導ランプは、前記リジェクト箱と前記入金返却箱との引き出し可能な位置に応じて点灯状態が変化する請求項８に記載の硬貨処理装置。
【発明の詳細な説明】
【技術分野】
【０００１】
この発明は、硬貨の鑑別等を行う硬貨処理装置に関するものである。
【背景技術】
【０００２】
金融機関の店舗等にあっては、硬貨の入金処理や出金処理などを行う硬貨処理装置が設置されている場合がある。硬貨処理装置は、入金した硬貨の鑑別、計数を行い金種毎に収納する一方で、入金した硬貨が損貨や識別不能な場合は入金リジェクト箱へ移動させる。
また、上記硬貨処理装置は、さらに入金計数が終了した硬貨を収納する収納部と、収納部に収納する前の硬貨を一時的に貯留する一時貯留部とを備えている場合がある。一時貯留部に貯留された硬貨は、例えば、入金処理を承認しないキャンセル操作などを行うことで入金返却箱へ返却される（例えば、特許文献１参照）。つまり、硬貨処理装置には、硬貨を返却するための入金リジェクト箱と入金返却箱とが個別に設けられている場合がある。
【先行技術文献】
【特許文献】
【０００３】
【特許文献１】特開２０１０−２７１９１２号公報
【発明の概要】
【発明が解決しようとする課題】
【０００４】
ところで、上記硬貨処理装置は、上述した入金リジェクト箱と入金返却箱とを、それぞれ機体の表面パネル側から引出すことが可能になっている。ユーザは、入金リジェクト箱と入金返却箱とのうち、硬貨が返却された箱を引き出してその中から硬貨を取り出す。その際、不慣れなユーザは、どの箱が目的の箱であるかを区別できない可能性がある。
そこで、作業ミスの防止および操作性の向上を図るために、入金リジェクト箱と入金返却箱とのうち、硬貨が返却された箱がアクセス可能であることを知らせる表示ランプなどを設けることが考えられる。
また、別の方法として、上記硬貨処理装置の入金リジェクト箱および入金返却箱に対して、目的以外の箱の引き出しを規制するロック機構を設けることが考えられる。
しかし、上記ロック機構や上記表示ランプを設けた場合、部品点数の増加によりコストが増加してしまう。また、ロック機構や表示ランプの設置スペースを確保する必要があり装置が大型化してしまう。
【０００５】
また、上記硬貨処理装置は、機種によって内部機構の配置が異なることが多い。そのため、内部機構に干渉しないように入金リジェクト箱および入金返却箱を配置しようとすると、入金リジェクト箱と入金返却箱との位置および形状が自由に選択できなくなるなど、表面パネルにおけるデザインの自由度が低下してしまう場合がある。
この発明は、上記事情に鑑みてなされたもので、コスト増加や装置の大型化を防止しつつ、表面パネルのデザイン自由度を向上できる硬貨処理装置を提供するものである。
【課題を解決するための手段】
【０００６】
上記の課題を解決するために以下の構成を採用する。
この発明に係る硬貨処理装置は、硬貨の入金処理を行う硬貨処理装置において、リジェクトされた硬貨を収納するリジェクト箱と、入金返却された硬貨を収納する入金返却箱と、機体から引き出し可能とされ、前記リジェクト箱および前記入金返却箱を引き出し方向に並べて支持するトレイ部と、を備えることを特徴としている。
このように構成することで、機体の引き出し方向前側の表面パネルから見て、リジェクト箱と入金返却箱との位置を同一位置にして、表面パネルにおける専有面積を減少させることができる。また、リジェクト箱と入金返却箱とを共通の引き出し操作によって引き出すことができる。その結果、リジェクト箱と入金返却箱との両方に表示ランプやロック機構を設ける場合と比較してコスト増加や装置の大型化を防止することができる。また、表面パネルのデザイン自由度を向上できる。
【０００７】
さらに、この発明に係る硬貨処理装置は、上記硬貨処理装置において、前記トレイ部を全閉状態で保持可能であるとともに、前記リジェクト箱と前記入金返却箱とのうち引き出し方向手前側に配される一方の箱のみを引き出し可能とするべく前記トレイ部の引き出し方向への移動を規制するロック機構部を備えていてもよい。
このように構成することで、リジェクト箱と入金返却箱との両方へのアクセスを禁止できるとともに、トレイ部の引き出し方向手前側に配置される一方の箱にだけアクセス可能として他方の箱へのアクセスを禁止することができる。その結果、部品点数の増加を抑制しつつ目的とする箱にのみアクセスすることができるため、より円滑に硬貨の回収作業を進めることができる。
【０００８】
さらに、この発明に係る硬貨処理装置は、上記硬貨処理装置の前記リジェクト箱が、前記入金返却箱よりも引き出し方向手前側に配され、前記ロック機構部が、前記リジェクトされた硬貨を回収する際に、前記リジェクト箱のみを引き出し可能な状態とする一方で、前記入金返却された硬貨を回収する際には、前記トレイ部を全て引き出し可能とするべく規制を解除するようにしてもよい。
このように構成することで、リジェクトされた硬貨を取り出す際には、リジェクト箱のみを引き出して、入金返却箱へのアクセスを禁止することができる。その結果、入金返却された硬貨とリジェクトされた硬貨との取り違えなどの作業ミスが生じることを防止できる。
【０００９】
さらに、この発明に係る硬貨処理装置は、上記硬貨処理装置の前記入金返却箱が、前記トレイ部に対して着脱可能とされ、前記入金返却箱として、内部に仕切り部によって仕切られた金種別の複数の収納部を有する第一入金返却箱と、内部に仕切り部を有さない第二入金返却箱と、を備えていてもよい。
このように構成することで、ユーザが予め第一入金返却箱と第二入金返却箱とのうち使い勝手の良い方の入金返却箱を選択して用いることができる。また、第一入金返却箱を用いた場合には、金種別に入金返却硬貨を回収できる一方で、第二入金返却箱を用いた場合には、仕切り部が無い分だけ入金返却箱の軽量化を図り入金返却箱を容易に持ち運びできる。その結果、入金返却箱の使い易さを向上して商品性を向上することができる。
【００１０】
さらに、この発明に係る硬貨処理装置は、上記硬貨処理装置において、前記トレイ部は、メンテナンス用小物を収納する小物収納部を備えていてもよい。
このように構成することで、例えば、硬貨が詰まるなどの異常が生じた場合に、収納部からメンテナンス用の小物を取り出して、復旧作業を行うことができる。その結果、トレイ部の余剰スペースなどを有効活用することができる。
【００１１】
さらに、この発明に係る硬貨処理装置は、上記硬貨処理装置において、前記リジェクト箱は、前記トレイ部の前端よりも前方に引き出し可能に前記トレイ部に支持され、前記ロック機構部は、前記リジェクト箱の前記トレイ部からの引き出しを規制可能な第一ロック部を備えていてもよい。
このように構成することで、第一ロック部による規制を解除することでトレイ部を引き出すことなくリジェクト箱のみを引き出すことができる。その結果、簡単な構成でリジェクト箱のみを引き出し可能とすることができる。
【００１２】
さらに、この発明に係る硬貨処理装置は、上記硬貨処理装置において、前記ロック機構部が、前記機体に対する前記トレイ部の引き出しを規制可能な第二ロック部を備えていてもよい。
このように構成することで、第一ロック部による規制を解除することなしに、第二ロック部による規制を解除するだけで、リジェクト箱と入金返却箱との両方を引き出すことが可能となる。その結果、リジェクト箱と入金返却箱との両方を引き出す際の制御が複雑化することを防止できる。
【００１３】
さらに、この発明に係る硬貨処理装置は、上記硬貨処理装置において、前記リジェクト箱および前記入金返却箱の位置を示す誘導ランプを備えていてもよい。
このように構成することで、一つの誘導ランプによって、例えば、硬貨のリジェクトおよび入金返却の両方を、返却された箇所をユーザに知らせることができる。その結果、部品点数を増加することなく操作に不慣れなユーザであっても円滑にリジェクトされた硬貨や入金返却された硬貨を回収することができる。
【００１４】
さらに、この発明に係る硬貨処理装置は、上記硬貨処理装置において、前記誘導ランプは、前記リジェクト箱と前記入金返却箱との引き出し可能な位置に応じて点灯状態が変化するようにしてもよい。
このように構成することで、リジェクト箱と入金返却箱との両方とも引き出し不能な状態と、リジェクト箱と入金返却箱との何れか一方が引き出し可能な状態と、リジェクト箱及び入金返却箱が両方とも引き出し可能な状態とを、ユーザに知らせることができる。その結果、更に円滑に硬貨の回収作業を行うことができる。
【発明の効果】
【００１５】
この発明に係る硬貨処理装置によれば、コスト増加や装置の大型化を防止しつつ、表面パネルのデザイン自由度を向上することが可能となる。
【図面の簡単な説明】
【００１６】
【図１】本発明の第１実施形態に係る硬貨処理装置を示す斜視図である。
【図２】本発明の第１実施形態に係る硬貨処理装置の制御系を示すブロック図である。
【図３】本発明の第１実施形態に係る硬貨処理装置の上部構成を示す平面図である。
【図４】本発明の第１実施形態に係る硬貨処理装置のシュートを示す平面図である。
【図５】本発明の第１実施形態に係る硬貨処理装置を示す透過正面図である。
【図６】本発明の第１実施形態に係る硬貨処理装置の貯留搬送部を示す平面図である。
【図７】本発明の第１実施形態に係る硬貨処理装置を示す透過正面図である。
【図８】本発明の第１実施形態に係る硬貨処理装置の返却箱が装着された返却部を示す平面図である。
【図９】本発明の第１実施形態に係る硬貨処理装置の金種別出金箱が装着された返却部を示す平面図である。
【図１０】本発明の第１実施形態に係る硬貨処理装置のシュートを示す平面図である。
【図１１】本発明の第１実施形態に係る硬貨処理装置を示す透過正面図である。
【図１２】本発明の第１実施形態に係る硬貨処理装置の収納庫を示す平面図である。
【図１３】上記第１実施形態に係る硬貨処理装置のトレイ部を最も引き出した状態における図１に相当する斜視図である。
【図１４】上記第１実施形態に係る硬貨処理装置の図１に示す状態のトレイ部周辺を示す透過側面図である。
【図１５】上記第１実施形態に係る硬貨処理装置のリジェクト部のみを引き出した状態のトレイ部周辺を示す透過側面図である。
【図１６】上記第１実施形態に係る硬貨処理装置の入金返却箱まで引き出した状態のトレイ部周辺を示す透過側面図である。
【図１７】上記第１実施形態に係る硬貨処理装置のリジェクト部のみを引き出した状態における図１に相当する斜視図である。
【図１８】上記第１実施形態に係る硬貨処理装置の開口部およびその周縁を示す正面図である。
【図１９】本発明の第２実施形態に係る硬貨処理装置の図１５に相当する透過側面図である。
【図２０】本発明の第２実施形態に係る硬貨処理装置の図１４に相当する透過側面図である。
【発明を実施するための形態】
【００１７】
本発明の第１実施形態に係る硬貨処理装置を図１〜図１８を参照して以下に説明する。
【００１８】
第１実施形態に係る硬貨処理装置１は、機外から投入されたバラ硬貨を識別しつつ計数して金種別に収納する硬貨処理装置である。図１に示すように、硬貨処理装置１は、その上部に硬貨が投入される硬貨投入繰出部１０を有している。また、機体２の上部の前面側には、ユーザの操作入力を受け付けるとともに、ユーザに表示を行うタッチパネル式等の操作表示部１１が設けられている。
【００１９】
硬貨投入繰出部１０は、図３に示すように、水平に配置された回転円盤１２と、この回転円盤１２の外縁部から鉛直に立ち上がる、一部が切り欠かれた略円筒状の側壁部１３と、回転円盤１２との間に硬貨一枚分の隙間をもって側壁部１３の切欠部分に設けられた分別環１４と、回転円盤１２を駆動する図２に示す硬貨投入繰出駆動部１０Ａとを有している。
【００２０】
硬貨投入繰出部１０の内部には、機外からバラ硬貨が投入される。この状態で回転円盤１２が図２における反時計回りに回転すると、その遠心力によって硬貨が側壁部１３の内周面に沿って運ばれる。さらに硬貨は、側壁部１３の内周面と分別環１４との隙間を介して一枚ずつ分離されて硬貨投入繰出部１０から外に順次繰出される。
【００２１】
硬貨投入繰出部１０の硬貨繰出位置には、硬貨投入繰出部１０から繰り出された硬貨を一列状に案内する搬送路２０と、搬送路２０上の硬貨を搬送するフィードユニット２１と、フィードユニット２１を駆動する図２に示すフィードユニット駆動部２１Ａとが設けられている。
【００２２】
この実施形態における搬送路２０は、図３に示すように、回転円盤１２の接線方向に沿い且つ機体前後方向に沿って配置された第１通路部２３と、この第１通路部２３の回転円盤１２とは反対側から直交方向（機体左右方向）に延出する第２通路部２４と、この第２通路部２４の第１通路部２３とは反対側から直交方向（機体前後方向）に延出する第３通路部２５とを有しており、第１通路部２３には、搬送中の硬貨の金種を識別しつつ計数する入金計数部２７が設けられている。なお、図示都合上、図３は、硬貨処理装置１は、前後左右の寸法を変更して記載している。
【００２３】
第２通路部２４には、硬貨を落下可能であり落下した硬貨を機外に取出可能に案内するリジェクト口２８と、入金計数部２７で識別不能と識別された硬貨をリジェクト口２８に落下させるリジェクト部２９と、リジェクト部２９を駆動する図２に示すリジェクト駆動部２９Ａとが設けられている。図３に示すリジェクト口２８から落下した硬貨は、後述するリジェクト箱３０に案内される。
【００２４】
図３に示すように、第３通路部２５には、入金計数部２７で計数された硬貨を金種別に選別する選別部３２が設けられている。この選別部３２は、硬貨を落下可能な金種別の選別口３２ａ〜３２ｆが第３通路部２５の延在方向である機体前後方向に並べられて設けられている。これら選別口３２ａ〜３２ｆは、硬貨を小さい外径のものから落下させるようになっており、最も上流側の選別口３２ａが１円硬貨を、その下流側の選別口３２ｂが５０円硬貨を、その下流側の選別口３２ｃが５円硬貨を、その下流側の選別口３２ｄが１００円硬貨を、その下流側の選別口３２ｅが１０円硬貨を、その下流側の選別口３２ｆが５００円硬貨を、それぞれ別々に落下させるようになっている。各選別口３２ａ〜３２ｆの直前位置には硬貨を検知する硬貨検知センサ３３ａ〜３３ｆが設けられており、硬貨検知センサ３３ａ〜３３ｆの隣り合うもの同士の検知枚数の差から、選別口３２ａ〜３２ｆのうちの間にあるものから落下した硬貨の数を計数するようになっている。
【００２５】
フィードユニット２１は、硬貨投入繰出部１０から繰り出された硬貨を上側から搬送路２０に押し付けて搬送する。この搬送中、硬貨は、まず、入金計数部２７で識別され計数されることになる。入金計数部２７で識別不能であった硬貨は、リジェクト部２９によってリジェクト口２８から落下させられ、それ以外の硬貨は、選別部３２の金種別の選別口３２ａ〜３２ｆの対応するものから落下する。
【００２６】
選別口３２ａ〜３２ｆの下側には、選別部３２で選別された硬貨を金種別に案内する図４、図５に示すシュート３４が設けられている。シュート３４は上下に開口する金種別の角筒状の案内部３４ａ〜３４ｆが機体前後方向に並んで一体に形成されている。
【００２７】
図５に示すように、シュート３４の下側には、選別部３２で選別されシュート３４で案内された硬貨を金種別に一時貯留させる貯留搬送部３５が設けられている。この貯留搬送部３５は、機体左右方向に水平移動可能となっており、図６に示すように、上下に開口する金種別の略角筒状の区画壁部３６ａ〜３６ｆが機体前後方向に並んで一体に形成された貯留搬送部本体３６と、貯留搬送部本体３６のすべての区画壁部３６ａ〜３６ｆの下部開口部を開閉可能な図５にも示す底板３７とを有している。貯留搬送部本体３６は、図２に示す貯留搬送部本体駆動部３６Ａによって駆動され、底板３７は図２に示す底板駆動部３７Ａによって駆動される。これら貯留搬送部本体３６と底板３７とはそれぞれ単独で水平移動可能であるとともに一体でも水平移動可能となっている。
【００２８】
ここで、貯留搬送部３５の貯留搬送部本体３６が選別口３２ａ〜３２ｆの鉛直下方の第１の位置に位置する図５に示す状態で、区画壁部３６ａ〜３６ｆが、案内部３４ａ〜３４ｆに対し一対一で対応して鉛直下方に位置して、案内部３４ａ〜３４ｆが選別口３２ａ〜３２ｆに対し一対一で対応して鉛直下方に位置することになる。よって、この状態で、選別口３２ａから落下する硬貨を案内部３４ａを介して区画壁部３６ａが受け入れ、選別口３２ｂから落下する硬貨を案内部３４ｂを介して区画壁部３６ｂが受け入れ、選別口３２ｃから落下する硬貨を案内部３４ｃを介して区画壁部３６ｃが受け入れ、選別口３２ｄから落下する硬貨を案内部３４ｄを介して区画壁部３６ｄが受け入れ、選別口３２ｅから落下する硬貨を案内部３４ｅを介して区画壁部３６ｅが受け入れ、選別口３２ｆから落下する硬貨を案内部３４ｆを介して区画壁部３６ｆが受け入れる。つまり、区画壁部３６ａ〜３６ｆは、選別口３２ａ〜３２ｆから落下する硬貨をそれぞれ別々に受け入れることになる。
【００２９】
これにより、底板３７が閉状態とされた貯留搬送部３５は、図６に示すように、区画壁部３６ａと底板３７とで構成される一時貯留部３８ａと、区画壁部３６ｂと底板３７とで構成される一時貯留部３８ｂと、区画壁部３６ｃと底板３７とで構成される一時貯留部３８ｃと、区画壁部３６ｄと底板３７とで構成される一時貯留部３８ｄと、区画壁部３６ｅと底板３７とで構成される一時貯留部３８ｅと、区画壁部３６ｆと底板３７とで構成される一時貯留部３８ｆとに、硬貨を金種別に分類した状態で一時貯留させることになる。なお、貯留搬送部３５が水平移動可能となっていることで、金種別の一時貯留部３８ａ〜３８ｆも水平移動可能となっている。
【００３０】
第１の位置に位置する貯留搬送部３５つまり一時貯留部３８ａ〜３８ｆの鉛直下方には、図７に示すように底板３７が開くことで第１の位置にある一時貯留部３８ａ〜３８ｆから硬貨を機外返却可能に受け入れる返却部４０が設けられている。
返却部４０には、一時貯留部３８ａ〜３８ｆから硬貨を受け入れる入金返却箱４１が着脱可能に設けられている。入金返却箱４１は、図８に示すように、金種別に区画されておらず、第１の位置に位置する一時貯留部３８ａ〜３８ｆの底板３７が開くと、一時貯留部３８ａ〜３８ｆに一時貯留されていたすべての硬貨を一括して金種混合の状態で受け入れる。
【００３１】
ここで、返却部４０には、入金返却箱４１に換えて、図９に示す金種別入金返却箱４３が装着可能となっている。この金種別入金返却箱４３は、内部に仕切り部４６ａ〜４６ｆによって仕切られた上方にのみ開口する金種別の有底角筒状の複数の出金収容部４３ａ〜４３ｆが一体に、返却部４０に装着された状態で機体前後方向に並ぶように形成されており、第１の位置に位置する一時貯留部３８ａ〜３８ｆの底板３７が開くと、これら一時貯留部３８ａ〜３８ｆに一時貯留されていた硬貨を金種別に受け入れる。つまり、図６に示す一時貯留部３８ａの硬貨を図９に示す出金収容部４３ａに、一時貯留部３８ｂの硬貨を出金収容部４３ｂに、一時貯留部３８ｃの硬貨を出金収容部４３ｃに、一時貯留部３８ｄの硬貨を出金収容部４３ｄに、一時貯留部３８ｅの硬貨を出金収容部４３ｅに、一時貯留部３８ｆの硬貨を出金収容部４３ｆに、それぞれ別々に受け入れる。
【００３２】
また、返却部４０には、図８に示すように入金返却箱４１が装着されているのか、図９に示すように金種別入金返却箱４３が装着されているのかを確認するための箱種検出センサ４４が設けられている。
【００３３】
図１０、図１１に示すように、第１の位置と隣り合う第２の位置に位置する貯留搬送部３５の下方には、上下に開口する金種別の案内部４５ａ〜４５ｆが機体前後方向に一体に並設されたシュート４５が設けられており、シュート４５および返却部４０の下方には、第２の位置にある一時貯留部３８ａ〜３８ｆからシュート４５を介して硬貨を受け入れて金種別に収納する着脱可能な収納庫４８が設けられている。この収納庫４８には、図１２に示すように、上方にのみ開口する金種別の有底角筒状の収納部４８ａ〜４８ｆが機体前後方向に並んで一体に形成されており、図１１に示すように、第２の位置に位置する一時貯留部３８ａ〜３８ｆの底板３７が開くと、第２の位置に位置する一時貯留部３８ａ〜３８ｆに一時貯留されていた硬貨を金種別に受け入れる。
【００３４】
つまり、一時貯留部３８ａの硬貨を案内部４５ａを介して収納部４８ａに、一時貯留部３８ｂの硬貨を案内部４５ｂを介して収納部４８ｂに、一時貯留部３８ｃの硬貨を案内部４５ｃを介して収納部４８ｃに、一時貯留部３８ｄの硬貨を案内部４５ｄを介して収納部４８ｄに、一時貯留部３８ｅの硬貨を案内部４５ｅを介して収納部４８ｅに、一時貯留部３８ｆの硬貨を案内部４５ｆを介して収納部４８ｆに、それぞれ別々に受け入れる。この収納庫４８は所定の手順により、機体２の外部に取り出すことが可能となっている。なお、この実施形態の硬貨処理装置１においては、収納庫４８から出金する処理は行わない。
【００３５】
図１３に示すように、硬貨処理装置１は、トレイ部５０を備えている。トレイ部５０は、機体２に対して、表面パネル２ａの開口部２ｂから前方に向かって引き出し可能に取り付けられている。より具体的には、トレイ部５０には、その幅方向の両側に引き出しレール５１が取り付けられており、これら一対の引き出しレール５１を介してトレイ部５０が機体２に対してスライド可能に支持されている。
【００３６】
トレイ部５０は、リジェクト箱３０と、入金返却箱４１又は金種別入金返却箱４３とを、引き出し方向に並べて支持する。この実施形態においては、引き出し方向の手前側にリジェクト箱３０が取り付けられ、引き出し方向の後側に入金返却箱４１又は金種別入金返却箱４３が取り付けられている。そして、入金返却箱４１又は金種別入金返却箱４３は、その長手方向がトレイ部５０の引き出し方向となるようにして、トレイ部５０に取り付けられている。また、トレイ部５０が機体２内に収納された全閉状態で、機体２の開口部２ｂは、リジェクト箱３０の前面３０ａによって閉塞されるようになっている。以下の説明では、トレイ部５０に入金返却箱４１が取り付けられている場合について説明する。
【００３７】
トレイ部５０には、更にリジェクト箱３０と、入金返却箱４１との間に、メンテナンス用の小物を収納する小物収納部５２を備えている。小物収納部５２は、トレイ部５０から着脱可能な箱体や袋体などであり、その内部には、例えば、硬貨詰まり等から復旧させるメンテナンスで使用するスクレーパーやピンセットなどの小物が収納される。
【００３８】
図１４に示すように、硬貨処理装置１は、上記トレイ部５０の引き出し量を段階的に規制可能な図２に示すロック機構部７０を備えている。この図２に示すロック機構部７０は、リジェクト箱３０と、入金返却箱４１との両方が機体２内に収容された全閉位置（全閉状態）でトレイ部５０の引き出し方向への変位を規制した状態で保持可能となっている。さらに、図２に示すロック機構部７０は、図１５および図１７に示すように、リジェクト箱３０のみが引き出された第一位置から、更なる引き出し方向へのトレイ部５０の変位を規制した状態で保持可能となっている。また、図２に示すロック機構部７０の全ての規制を解除した状態では、図１６に示すトレイ部５０の可動域全域の変位が許容された状態となる。
【００３９】
図１４に示すように、図２に示すロック機構部７０は、アクチュエータ７１と、規制部材７２とを備えている。
アクチュエータ７１は、機体２の骨格部材などに強固に固定され、図２に示す制御部６０からの制御指令により出没されるロッド部７３を備えている。この実施形態の一例に係るアクチュエータ７１は、トレイ部５０の直下に配され、ロッド部７３が上方に向かって出没される。ここで、ロッド部７３の突出量は、少なくともトレイ部５０の引き出し量を規制する段数と同じ段数だけ変化可能となっている。
【００４０】
規制部材７２は、アクチュエータ７１に対向するトレイ部５０に設けられている。この実施形態の一例に係る規制部材７２は、アクチュエータ７１に対向するトレイ部５０の底面５０ａから下方に突出して形成されている。規制部材７２は、第一規制部材７４と、第二規制部材７５とからなる。図１４に示すように、第一規制部材７４は、トレイ部５０が上述した全閉位置にあるときに、引き出し方向でロッド部７３直後の位置に配される。また、図１５に示すように、第二規制部材７５は、トレイ部５０がリジェクト箱３０のみが引き出された位置にあるときに、引き出し方向でロッド部７３直後の位置に配される。上記リジェクト箱３０のみが引き出された位置とは、図１５に示すように、リジェクト箱３０の後面３０ｂが、引き出し方向で表面パネル２ａの位置と同一となる位置である。リジェクト箱３０のみが引き出された位置は、上記位置に限られず、リジェクト箱３０内の硬貨に容易にアクセス可能な位置であれば、上記位置よりも引き出し量が少ない位置としても良い。
【００４１】
また、第一規制部材７４は、第二規制部材７５よりもその突出方向の寸法が短く形成されている。つまり、ロッド部７３がその出没方向で、第一規制部材７４の端部の位置よりも突出している場合には、ロッド部７３は、引き出し方向手前側への第一規制部材７４の変位を規制し、全閉位置から引き出し方向手前側へのトレイ部５０の変位を規制する。一方で、ロッド部７３がその出没方向で、第一規制部材７４の端部の位置よりも没入しており、かつ、第二規制部材７５の端部よりも突出している場合には、ロッド部７３は、引き出し方向手前側への第二規制部材７５の変位を規制して、リジェクト箱３０のみが引き出された位置から引き出し方向へのトレイ部５０の変位を規制する。また、ロッド部７３が第二規制部材７５の端部よりも没入している場合には、ロッド部７３は、規制部材に当接しないため、図１に示す全閉位置から入金返却箱４１又は金種別入金返却箱４３が引き出された図１３に示す全開位置までのトレイ部５０の変位が可能な状態となる。
【００４２】
図１８に示すように、機体２の表面パネル２ａには、開口部２ｂの周縁に、誘導ランプ８０が配されている。この誘導ランプ８０は、リジェクト箱３０と、入金返却箱４１又は金種別入金返却箱４３との位置を示すためのランプである。また、誘導ランプ８０は、図２に示すロック機構部７０の状態、すなわちリジェクト箱３０と、入金返却箱４１又は金種別入金返却箱４３との引き出し可能な状態（位置）に応じた点灯状態となる。例えば、誘導ランプ８０は、リジェクト箱３０を含み全て引き出し不能な場合には、消灯状態となり、リジェクト箱３０のみが引き出し可能な場合には、点灯状態となり、また、入金返却箱４１又は金種別入金返却箱４３まで引き出し可能な場合には、点滅状態となる。誘導ランプの点灯状態は、図２に示すロック機構部７０の状態すなわち、リジェクト箱３０と、入金返却箱４１又は金種別入金返却箱４３との引き出し可能な状態が識別できればよく、消灯、点灯、点滅に限られない。例えば、誘導ランプの点灯する色を、引き出し可能な位置に応じて変化させるようにしても良い。
【００４３】
次に、上記した硬貨処理装置１の図２に示す制御部６０による入金処理および返金処理の動作を説明する。なお、図５に示すように、貯留搬送部３５は第１の位置を待機位置としている。
【００４４】
「入金処理」
硬貨投入繰出部１０に硬貨が投入されて操作表示部１１に入金処理を行う旨の操作が入力されると、図２に示す制御部６０は、貯留搬送部３５を第１の位置に位置させた状態で、図２に示す硬貨投入繰出駆動部１０Ａおよびフィードユニット駆動部２１Ａによって、図３に示す回転円盤１２およびフィードユニット２１を駆動する。これにより、硬貨投入繰出部１０に投入された硬貨が、一枚ずつ分離された状態で一列状に搬送路２０を移動する。すると、硬貨は、まず、入金計数部２７で識別されて計数される。
【００４５】
入金計数部２７で識別不能であった硬貨は、リジェクト駆動部２９Ａで駆動されるリジェクト部２９によってリジェクト口２８から落下させられてリジェクト箱３０に案内される。それ以外の硬貨は、選別部３２の金種別の選別口３２ａ〜３２ｆの対応する金種のものから落下する。選別部３２から落下した硬貨は図５に示す第１の位置にある貯留搬送部３５の金種別の一時貯留部３８ａ〜３８ｆに金種別に一時貯留される。
【００４６】
図２に示す制御部６０は、リジェクト箱３０に硬貨が案内されると、図２に示すロック機構部７０によって、リジェクト箱３０の引き出し方向への移動が規制されている状態から、リジェクト箱３０のみを引き出せる状態にする。さらに図２に示す制御部６０は、リジェクト箱３０のみ引き出し可能となったことを、誘導ランプ８０を点灯させることでユーザに報知する。そして、図示しない硬貨検出用のセンサなどによりリジェクト箱３０に収納された硬貨の取出し動作が検出されてリジェクト箱３０が元の位置に戻された場合や、取出し動作が検出されずに所定時間経過した場合には、図２に示すロック機構部７０により再度リジェクト箱３０の引き出し方向への移動を規制する。なお、取出し動作が検出されない場合には、ユーザに対して注意喚起するアラームを鳴らすようにしても良い。
【００４７】
硬貨投入繰出部１０に投入された硬貨がなくなってから所定時間経過すると、図２に示す制御部６０は、図２に示す硬貨投入繰出駆動部１０Ａおよびフィードユニット駆動部２１Ａによって、回転円盤１２およびフィードユニット２１を停止させて、入金処理を終了する。
【００４８】
「返却処理」
上記した入金処理の終了後、図２に示す制御部６０は、操作表示部１１に計数結果を表示させることになり、操作表示部１１に入金処理を承認しないキャンセル操作が入力されると、箱種検出センサ４４で返却部４０に入金返却箱４１又は金種別入金返却箱４３が装着されていることを条件として、図２に示す底板駆動部３７Ａにより、待機状態にあって第１の位置にある貯留搬送部３５の底板３７のみを図７に示すように第２の位置に向け水平移動させて、第１の位置にある一時貯留部３８ａ〜３８ｆの底板３７を開放する。これにより、一時貯留部３８ａ〜３８ｆに一時貯留されていた硬貨が、その直下にある返却部４０の入金返却箱４１又は金種別入金返却箱４３に一括して金種混合又は金種別の状態で同時に受け渡される。
【００４９】
一時貯留されていた硬貨が入金返却箱４１又は金種別入金返却箱４３に受け渡されると、制御部６０は、図２に示すロック機構部７０による規制を全解除して、トレイ部５０のリジェクト箱３０よりも引き出し方向後側に配された入金返却箱４１又は金種別入金返却箱４３を引き出し可能な状態とする。ユーザは、トレイ部５０に取り付けられた入金返却箱４１又は金種別入金返却箱４３を取り出して、入金返却された硬貨を取り出す。一時貯留部３８ａ〜３８ｆの底板３７を開放後、所定時間経過すると、図２に示す制御部６０は、図２に示す底板駆動部３７Ａによって底板３７を待機位置に戻す。
【００５０】
入金処理の終了後、操作表示部１１に入金処理を承認する承認操作が入力されると、図２に示す制御部６０は、図２に示す貯留搬送部本体駆動部３６Ａによって、待機状態にあって第１の位置にある貯留搬送部３５の貯留搬送部本体３６のみを、図１１に示すように第２の位置に水平移動させることで、一時貯留部３８ａ〜３８ｆを第２の位置に位置させるとともに、これらの底板３７を開放する。これにより、一時貯留部３８ａ〜３８ｆに一時貯留されていた、入金処理を行った硬貨が、その直下にあるシュート４５を介して収納庫４８の金種別の収納部４８ａ〜４８ｆに金種別に分類された状態のまま同時に収納される。その後、図２に示す制御部６０は、図２に示す貯留搬送部本体駆動部３６Ａによって、貯留搬送部本体３６を待機位置に戻す。
【００５１】
以上に述べた第１実施形態の硬貨処理装置１によれば、機体２の引き出し方向前側の表面パネル２ａから見て、リジェクト箱３０と入金返却箱４１又は金種別入金返却箱４３との位置を同一位置にして、表面パネル２ａにおける専有面積を減少させることができる。また、リジェクト箱３０と入金返却箱４１又は金種別入金返却箱４３とを共通の引き出し操作によって引き出すことができる。その結果、リジェクト箱３０と入金返却箱４１又は金種別入金返却箱４３との両方に表示ランプやロック機構を設ける場合と比較してコスト増加や装置の大型化を防止することができる。また、表面パネル２ａのデザイン自由度を向上できる。
【００５２】
さらに、リジェクト箱３０と入金返却箱４１又は金種別入金返却箱４３との両方へのアクセスを禁止できるとともに、トレイ部５０の引き出し方向手前側に配置されるリジェクト箱３０にだけアクセス可能として入金返却箱４１又は金種別入金返却箱４３へのアクセスを禁止することができる。その結果、部品点数の増加を抑制しつつリジェクト箱３０にのみアクセスすることができるため、より円滑に硬貨の回収作業を進めることができる。リジェクトされた硬貨を取り出す際には、リジェクト箱３０のみを引き出して、入金返却箱４１又は金種別入金返却箱４３へのアクセスを禁止することができる。その結果、入金返却された硬貨とリジェクトされた硬貨との取り違えなどの作業ミスが生じることを防止できる。
【００５３】
さらに、ユーザが予め入金返却箱４１と金種別入金返却箱４３とのうち使い勝手の良い方の箱を選択して用いることができる。また、金種別入金返却箱４３を用いた場合には、金種別に入金返却硬貨を回収できる一方で、入金返却箱４１を用いた場合には、区画壁部３６ａ〜３６ｆが無い分だけ入金返却箱４１の軽量化を図り入金返却箱４１を容易に持ち運びできる。その結果、入金返却箱４１の使い易さを向上して商品性を向上することができる。
【００５４】
さらに、例えば、硬貨が詰まるなどの異常が生じた場合に、小物収納部５２からメンテナンス用の小物を取り出して、復旧作業を行うことができる。その結果、トレイ部５０の余剰スペースなどを有効活用することができる。
【００５５】
さらに、一つの誘導ランプ８０によって、例えば、硬貨のリジェクトおよび入金返却された箇所の両方をユーザに知らせることができる。その結果、部品点数を増加することなく操作に不慣れなユーザであっても円滑にリジェクトされた硬貨や入金返却された硬貨を回収することができる。
【００５６】
さらに、リジェクト箱３０と入金返却箱４１又は金種別入金返却箱４３との両方とも引き出し不能な状態と、リジェクト箱３０と入金返却箱４１又は金種別入金返却箱４３との何れか一方が引き出し可能な状態と、リジェクト箱３０及び入金返却箱４１又は金種別入金返却箱４３が両方とも引き出し可能な状態とを、ユーザに知らせることができる。その結果、更に円滑に硬貨の回収作業を行うことができる。
【００５７】
なお、上述した第１実施形態において、ロック機構部７０が一つのアクチュエータ７１を用いて引き出し位置を段階的に規制する場合について説明したが、２つ以上のアクチュエータ７１を用いて引き出し位置を段階的に規制するようにしても良い。
【００５８】
次に、本発明の第２実施形態に係る硬貨処理装置を主に図１９〜図２０を参照して第１実施形態との相違部分を中心に以下に説明する。なお、第１実施形態と同様の部分には同一の符号を付しその説明は略す。
【００５９】
第１実施形態のリジェクト箱３０がトレイ部５０とともに引き出し可能であったが、第２実施形態においては、図１９に示すように、トレイ部５０とリジェクト箱３０とは、引き出し方向に相対移動が可能となっており、リジェクト箱３０がトレイ部５０の前端よりも前方に向かって引き出し可能になっている。つまり、リジェクト箱３０は、トレイ部５０上で前方にスライド移動可能に支持されている。
【００６０】
また、図１９、図２０に示すように、第２実施形態のロック機構部１７０は、トレイ部５０からリジェクト箱３０の引き出しを規制する第一ロック部９０と、トレイ部５０自体の引き出しを規制する第二ロック部９１とを備えている。
【００６１】
第一ロック部９０は、機体２側に取り付けられたアクチュエータ９２と、リジェクト箱３０側に取り付けられた係止機構９３とを備えている。
係止機構９３は、リジェクト箱３０とトレイ部５０とを係脱するための機構であり、操作片９４を備えている。係止機構９３は、操作片９４が、例えば押圧操作などにより操作されると、リジェクト箱３０が引き出されていない初期状態で、リジェクト箱３０とトレイ部５０との係止状態および解除状態を切り替える。この実施形態の係止機構９３は、操作片９４が押圧操作されることにより係止状態および解除状態が切り替えられて、例えば、一回押圧することで係止状態が解除され、もう一度押圧することで係止状態とされる機構になっている。
【００６２】
アクチュエータ９２は、制御部６０により駆動制御される。このアクチュエータ９２のロッド部９５によって上記係止機構９３の操作片９４が押圧操作される。
【００６３】
第二ロック部９１は、第一実施形態のロック機構部７０と同様の構成であり、アクチュエータ７１が制御部６０により駆動制御される。そして、アクチュエータ７１は、そのロッド部７３が機体２に対するトレイ部５０のスライド移動を規制する位置（図２０中、実線で示す）と、機体２に対するトレイ部５０のスライド移動を許容する位置（図２０中、破線で示す）との間で出没可能となっている。そして、上記スライド移動を規制する位置において、ロッド部７３がトレイ部５０に設けられた規制部材７２の引き出し方向への変位を規制することで、機体２からトレイ部５０が引き出されることを規制している。ここで、第二ロック部９１による規制を解除する際に、制御部６０は、リジェクト箱３０が初期位置にあって、第一ロック部９０により変位が規制された状態となっていることを条件として、第二ロック部９１による規制を解除するようにしても良い。
【００６４】
なお、第一ロック部９０は、上記のものに限られず、トレイ部５０とリジェクト箱３０との相対移動を規制できる機構を備えたものであればよい。同様に、第二ロック部９１も上記のものに限られず、機体２とトレイ部５０との相対移動を規制できる機構を備えたものであればよい。
【００６５】
以上に述べた第２実施形態の硬貨処理装置１によれば、第一ロック部９０による規制を解除することでトレイ部５０を引き出すことなくリジェクト箱３０のみを引き出すことができる。その結果、簡単な構成でリジェクト箱３０のみを引き出し可能とすることができる。
さらに、第一ロック部９０による規制を解除することなしに、第二ロック部９１による規制を解除するだけで、リジェクト箱３０と入金返却箱４１又は金種別入金返却箱４３との両方を引き出すことが可能となる。その結果、リジェクト箱３０と入金返却箱４１又は金種別入金返却箱４３との両方を引き出す際の制御が複雑化することを防止できる。
【００６６】
なお、本発明は、上述した実施形態に限定されるものではなく、本発明の趣旨を逸脱しない範囲において、上述した実施形態に種々の変更を加えたものを含む。すなわち、実施形態で挙げた具体的な形状や構成等は一例にすぎず、適宜変更が可能である。
例えば、各実施形態においては、硬貨を入金する硬貨処理装置を一例に説明したが、本発明は、例えば、硬貨の入出金を行う硬貨入出金機や、硬貨の入金および収納の機能の他に紙幣に対する各種処理を行う貨幣処理機などにも適用可能である。
また、引き出し方向の前側にリジェクト箱３０、後側に入金返却箱４１又は金種別入金返却箱４３を配置する場合について説明したが、前側に入金返却箱４１又は金種別入金返却箱４３、後側にリジェクト箱３０を配置しても良い。
【符号の説明】
【００６７】
１  硬貨処理装置
３０  リジェクト箱
４１  入金返却箱（第一入金返却箱）
４３  金種別入金返却箱（第二入金返却箱）
４３ａ〜４３ｆ  出金収容部
４６ａ〜４６ｅ  仕切り部
５０  トレイ部
５２  小物収納部
７０  ロック機構部
８０  誘導ランプ
９０  第一ロック部
９１  第二ロック部
【図１】
2015022424.tif 000003
【図２】
2015022424.tif 000004
【図３】
2015022424.tif 000005
【図４】
2015022424.tif 000006
【図５】
2015022424.tif 000007
【図６】
2015022424.tif 000008
【図７】
2015022424.tif 000009
【図８】
2015022424.tif 000010
【図９】
2015022424.tif 000011
【図１０】
2015022424.tif 000012
【図１１】
2015022424.tif 000013
【図１２】
2015022424.tif 000014
【図１３】
2015022424.tif 000015
【図１４】
2015022424.tif 000016
【図１５】
2015022424.tif 000017
【図１６】
2015022424.tif 000018
【図１７】
2015022424.tif 000019
【図１８】
2015022424.tif 000020
【図１９】
2015022424.tif 000021
【図２０】
2015022424.tif 000022